(57)【要約】      （修正有）【課題】事故が発生したとき、事故を素早く通報し、犯罪を防止することが出来るリアルタイム移動式映像音声通報装置を提供する。【解決手段】ケーシング１１と、ケーシング１１の内部に収容された電気回路基板１２と、ケーシング１１の表面に取り付けられ、車両外部の画像信号を捉える撮影レンズ１３と、撮影レンズ１３に電気接続していて、画像信号を演算処理したうえでデジタル画像データに変換する中央処理装置１４と、中央処理装置１４に電気接続していて、デジタル画像データを一時格納するメモリ装置１５と、中央処理装置１４と撮影レンズ１３とに電気接続する少なくとも一つの制御ボタン１６と、メモリ装置１５に電気接続していて、中央処理装置１４によってデジタル音声データに変換される音声信号を録音するマイク１９と、中央処理装置１４に電気接続していて、無線ネットワーク接続技術によって、信号を遠隔通報データセンターに接続する移動式ネットワーク接続モジュール１７と、を含む。【選択図】図１
0003198939.tif 000002
【実用新案登録請求の範囲】
【請求項１】
車両に取り付けられ、かつ車載電源に電気接続するリアルタイム移動式映像音声通報装置であって、
ケーシングと、
前記ケーシングの内部に収容され、かつ前記車載電源に電気接続された電気回路基板と、
前記ケーシングの表面に取り付けられ、車両外部の画像信号を捉える撮影レンズと、
前記電気回路基板に設けられ、かつ前記撮影レンズに電気接続していて、前記画像信号を演算処理したうえでデジタル画像データに変換する中央処理装置と、
前記電気回路基板に設けられ、かつ前記中央処理装置に電気接続していて、前記デジタル画像データを一時格納するメモリ装置と、
前記中央処理装置と前記撮影レンズとに電気接続する少なくとも一つの制御ボタンと、
前記メモリ装置に電気接続していて、前記中央処理装置によってデジタル音声データに変換するされる音声信号を録音するマイクと、
前記電気回路基板に取り付けられ、前記中央処理装置に電気接続していて、無線ネットワーク接続技術によって、信号を遠隔通報データセンターに接続する移動式ネットワーク接続モジュールと、を含み、
前記制御ボタンを押した後、前記撮影レンズ及び前記マイクがただちにその時点における車両外部の画像信号を捉えて前記メモリ装置に格納しておき、続いて前記中央処理装置にてデジタル画像データ及びデジタル音声データに変換した上で、前記移動式ネットワーク接続モジュールを介して前記デジタル画像データ及び前記デジタル音声データを前記遠隔通報データセンターに伝送することによって通報することを特徴とする、リアルタイム移動式映像音声通報装置。
【請求項２】
前記メモリ装置と前記移動式ネットワーク接続モジュールとに電気接続されており、タイムの同期を取った後にタイムデータを形成し、該タイムデータを前記移動式ネットワーク接続モジュールを介して遠隔通報データセンターに伝送する全地球タイム同期モジュールをさらに有することを特徴とする、請求項１記載のリアルタイム移動式映像音声通報装置。
【請求項３】
前記電気回路基板に取り付けられており、前記メモリ装置と、前記移動式ネットワーク接続モジュールとにそれぞれ接続する全地球測位モジュールをさらに有し、
前記制御ボタンを押すことによって、全地球測位データを形成し、該全地球測位データが前記移動式ネットワーク接続モジュールを介して遠隔通報データセンターに伝送されることを特徴とする、請求項２記載のリアルタイム移動式映像音声通報装置。
【請求項４】
もう一つの制御ボタンが同様に前記ケーシングの表面に設けられており、かつ前記移動式ネットワーク接続モジュールに電気接続し、無線接続技術を介して、信号をもう一つの遠隔通報データセンターにつなげることを特徴とする、請求項３記載のリアルタイム移動式映像音声通報装置。
【請求項５】
バックアップ電源と、振動センサーと、信号接続ポートとをさらに含み、
前記バックアップ電源と前記振動センサーとは前記電気回路基板に取り付けられ、前記車載電源から電気供給されないときに前記バックアップ電源より電源を提供し、
前記振動センサーを前記バックアップ電源に電気接続しておき、異常振動を感知したときは、前記撮影レンズを自動に起動して録画を開始させ、前記デジタル画像データを前記移動式ネットワーク接続モジュールを介して、前記遠隔通報データセンターに伝送し、
前記信号接続ポートは前記ケーシングの表面に取り付けられており、前記メモリ装置に電気接続した上で、電気接続した表示装置にて前記デジタル画像データを再生することを特徴とする、請求項４記載のリアルタイム移動式映像音声通報装置。
【考案の詳細な説明】
【技術分野】
【０００１】
本考案は無線通信による通報装置分野に関し、特に事故時点の映像・音声状況を、移動式無線ネットワークを介して、保安通報システムまたは保険保障請求通報システムなどの遠隔通報データセンター及び車の所有者に伝送して、事故を素早く通報することによる犯罪防止の効果を達成する、リアルタイム移動式映像音声通報装置に関する。
【背景技術】
【０００２】
現在、ほとんどのドライブレコーダーは、撮影装置と保存媒体とを組み合わせて、車を走行しながら連続して録画する仕組みである。外付け方式により車両内部に取り付けて、レンズを車の外部に向けて録画を行い、写した画像データを事故現場の還元証拠に使用することができる。しかし、現在の事故処理のプロセスは、交通警察が通報を受けた後事故現場に赴き、測量、関係者の供述を記録した上、前述したドライブレコーダーの画像に基づいて、事故現場を再現させ、事故鑑定機関にて事故を引き起こした責任者の特定を実施する。
【考案の概要】
【考案が解決しようとする課題】
【０００３】
残念ながら、この種のドライブレコーダーの多くが道路状況の監視機能に止まり、リアルタイム伝送の機能と通報機能を有しない。そのために、機能的は受動的に事故を引き起こした後に事故現場を再現するためにしか使えない。さらに、公知のドライブレコーダーは車両の従来電源を使用しており、車両が停止した後に電気が供給されないときには、画像を記録することができず、車両犯罪の監視制御システムに使うことは出来ない。現在は、外付け電源により電気を供給し、様々なセンサーと組み合わせて、車両の異常振動、ガラス割れによる振動または車両ロックを破壊されたときの電気回路の異常など条件設定により、車両の防犯画像監視制御システムを起動し、センサーを介して環境変化を検知して、撮影装置の録画を起動させることもできる。しかし、リアルタイム伝送または即時通報の機能を有しないため、犯罪を有効に防止する機能までは達成できない。
【０００４】
この他、全地球測位システムと結合した犯罪防止追跡システムなども受動的に犯罪を防止する効果しかなく、犯罪を未然に防止することはできない。そのため、考案者が継続的に研究、実験した結果、事故発生の時にリアルタイムにそのときの状況の映像・音声を保安通報システムまたは平時遠隔通報データセンターに連絡することができ、事故現場を還元できると共に、ドライブレコーダーが破壊され通報機能を失われる苦境を避けられるほか、犯罪防止に適用して、ドライブレコーダーが整合できない各種の監視制御機能と、通報機能を実現できるリアルタイム移動式映像・音声通報システムを考案した。
【課題を解決するための手段】
【０００５】
そのため、本考案は、移動式ネットワーク接続モジュールを有し、無線ネットワーク通信方式により、事故発生時点の映像・音声データを遠隔通報データセンターに送信し、リアルタイム通報と当事者の人身安全保護などの効果を実現できる、リアルタイム移動式映像音声通報装置を提供することを目的とする。
【０００６】
また本考案は、バックアップ電源と、振動センサーとを組み合わせて、犯罪防止として、侵入者の犯罪実行の映像・音声データを遠隔通報データセンターに送信することによって、リアルタイム通報と犯罪防止の安全効果を実現する、リアルタイム移動式映像音声通報装置を提供することをもう一つの目的とする。
【０００７】
前述目的を実現するため、本考案のリアルタイム移動式映像音声通報装置を車両に取付けて、車載電源に電気接続する。リアルタイム移動式映像音声通報装置は、ケーシングと、ケーシング内部に収容していて、かつ車載電源に電気接続する電気回路基板と、ケーシング表面に取り付け、車両外部の画像信号を捉える撮影レンズと、電気回路基板に設けられており、撮影レンズに電気接続していて、画像信号を演算処理しデジタル画像データに変換する中央処理装置と、電気回路基板に取付けて中央処理装置に電気接続し、デジタル画像データを一時格納するメモリ装置と、中央処理装置と撮影レンズとを電気接続する少なくとも一つの制御ボタンと、電気回路基板に取り付け、中央処理装置に電気接続し、無線ネットワーク接続技術を介して、信号を遠隔通報データセンターに接続する移動式ネットワーク接続モジュールと、を含む。制御ボタンを押した後、撮影レンズがただちにその時点の車両外部の画像信号を捉えて、メモリ装置内部に格納して置き、中央処理装置によってデジタル画像データに変換した後、移動式ネットワーク接続モジュールを介して、デジタル画像データを遠隔通報データセンターに伝送して通報する。
【０００８】
一実施例において、本考案のリアルタイム移動式映像音声通報装置は、メモリ装置及び移動式ネットワーク接続モジュールに電気接続しており、移動式ネットワーク接続モジュールを介して、タイムの同期を取った後にタイムデータを形成し、タイムデータが移動式ネットワーク接続モジュールを介して、遠隔通報データセンターに伝送し、事故の発生時間を特定すると共に、データの真実性と完全性の確保を図る全地球タイム同期モジュールをさらに有していてもよい。さらに、リアルタイム移動式映像音声通報装置は、メモリ装置に電気接続しており、イベント当時の対話の音声信号を録音したうえ中央処理装置によってデジタル音声データに変換し、係るデジタル音声データが移動式ネットワーク接続モジュールを介して、遠隔通報データセンターに伝送するマイクをさらに有していてもよい。このほか、リアルタイム移動式映像音声通報装置は、電気回路基板に取り付けられており、メモリ装置と、移動式ネットワーク接続モジュールとにそれぞれ接続する全地球測位モジュールをさらに有し、制御ボタンを押すことによって、全地球測位データを形成してもよい。かかる全地球測位データは移動式ネットワーク接続モジュールを介して、遠隔通報データセンターに伝送し、事件現場位置の特定に用いる。
【０００９】
そのうち、ケーシング表面に設けられていて、かつ移動式ネットワーク接続モジュールに電気接続し、無線接続技術を介して、信号をもう一つの遠隔通報データセンターにつなげるもう一つの制御ボタンをさらに有していてもよい。
【００１０】
もう一つの実施例において、本考案のリアルタイム移動式映像音声通報装置は、電気回路基板に取り付け、車載電源が電気供給されないときに電源を供給するバックアップ電源をさらに有していてもよい。リアルタイム移動式映像音声通報装置は、電気回路基板に取り付け、バックアップ電源に電気接続していて、異常な振動を発生したときに撮影レンズの起動と録画を開始し、デジタル画像データが移動式ネットワーク接続モジュールに介して、遠隔通報データセンターに伝送する振動センサーをさらに有していてもよい。
【００１１】
この他、デジタル画像データの再生に備えて、ケーシング表面に信号接続ポートを設け、メモリ装置と表示装置に電気接続してもよい。これによって、使用されないときには、表示装置との電気接続を切断することにより、電気使用の軽減効果を有する。
【図面の簡単な説明】
【００１２】
【図１】本考案の好ましい実施例による正面構造態様図である。
【図２】本考案の好ましい実施例による背面構造態様図である。
【図３】本考案の好ましい実施例の取り付け概略図である。
【図４】本考案の好ましい実施例による操作フロー図である。
【考案を実施するための形態】
【００１３】
審査官の方々が本考案の内容のさらなる理解を図るため、以下に図面と合わせて説明する。ご参照ください。
【実施例】
【００１４】
図１ないし３に、本考案の好ましい実施例の構造態様図と、取付け態様図を参照する。図に示すとおり、本考案のリアルタイム移動式映像音声通報装置１は車両２に取り付けられていて、かつ車載電源２１に電気接続しており、かかるリアルタイム移動式映像音声通報装置１はケーシング１１と、電気回路基板１２と、撮影レンズ１３と、中央処理装置１４と、メモリ装置１５と、一対の制御ボタン１６と、移動式ネットワーク接続モジュール１７と、を含む。
【００１５】
そのうち、ケーシング１１は扁平状構造体に仕上げており、その内部に収容空間が形成されており、かつケーシング１１の最上部にスロット１１１を設けて、車両２内部の取付ラック２２に係合して固定する。この他、ケーシング１１の表面に複数の通し穴１１２を設ける。
【００１６】
電気回路基板１２はケーシング１１内部に収容され、かつ電気接続ケーブルを介して、車両２のシガーソケットに装着して車載電源２１に電気接続する。
【００１７】
撮影レンズ１３は車両２外部の画像信号を捉えるため、ケーシング表面を貫く通し穴１１２に取付けられている。撮影レンズ１３の一側も合わせて、夜間または光度不足場所で撮影するときの補光機能として、複数のＬＥＤ補光ランプ１３１を設ける。
【００１８】
中央処理装置１４は電気回路基板１２に設けられ、かつ撮影レンズ１３に電気接続していて、画像信号を演算処理したうえで、デジタル画像データに変換する。
【００１９】
メモリ装置１５は電気回路基板１２に取付けられ、中央処理装置１４に電気接続し、デジタル画像データを一時格納する。特に注意したいことは、メモリ装置１５は中央処理装置１４が演算処理するときにバッファレジストとして使用されるほか、伝送するときのバッファレジストスペースにも使用できる。さらに、本考案にはメモリカードまたは携帯式ディスクなどデジタル画像データを永久に格納する空間は設けられていない。ただし、必要に応じてこれらを取り付けて、前述した変換済みのデジタル画像データを格納することもできる。
【００２０】
一対の制御ボタン１６はそれぞれケーシング両側の表面に取り付けられ、中央処理装置１４と、撮影レンズ１３とに電気接続する。操作により、中央処理装置１４と撮影レンズ１３とを駆動できる。
【００２１】
移動式ネットワーク接続モジュール１７も同じく、電気回路基板１２に取り付けられており、かつ中央処理装置１４に電気接続され、２Ｇ、３Ｇ、３．５Ｇまたは４Ｇなどの無線ネットワーク接続技術を介して、信号を非常時遠隔通報データセンター（例えば、保安通報システム）または平時遠隔通報データセンター（例えば、保険保障請求システムあるいはクラウドの格納空間など）に接続する。制御ボタン１６は一例として、一つを非常時遠隔通報データセンターに接続し、もう一つを平時遠隔通報データセンターに接続しておく。制御ボタン１６は色をもって区別する。一例として、そのうち一つの制御ボタン１６を押下した後、撮影レンズ１３がただちにその時点における車両外部の画像信号を捉えて、メモリ装置１５内部に格納し、中央処理装置１４によってデジタル画像データに変換した上で、移動式ネットワーク接続モジュール１７を介して、デジタル画像データを非常時遠隔通報データセンターに伝送することにより通報する。
【００２２】
本考案のリアルタイム移動式映像音声通報装置１は、メモリ装置１５及び移動式ネットワーク接続モジュール１７に電気接続し、移動式ネットワーク接続モジュール１７を介して、タイムの同期を取った後に、タイムデータを形成し、タイムデータが移動式ネットワーク接続モジュール１７を介して、遠隔通報データセンター及び／または平時遠隔通報センターに伝送され、事故の発生時間を確定すると共に、データの真実性と完全性の確保を図る全地球タイム同期モジュール１８をさらに有する。
【００２３】
また、リアルタイム移動式映像音声通報装置１は、メモリ装置１５に電気接続して、音声信号を録音し、中央処理装置１４にてデジタル音声データに変換する。かかるデジタル音声データは、デジタル画像データと合わせ移動式ネットワーク接続モジュール１７に介して非常時遠隔通報データセンター及び／または非常時遠隔通報データセンターに伝送される。事故発生したときの対話を録音するマイク１９をさらに有する。当然ながら、マイク１９は防水マイクを選択し車両２外部に取り付けることによって、当事者が脅かされることを防げることもできる。
【００２４】
さらに、リアルタイム移動式映像音声通報装置１は、電気回路基板１２に取付けられ、メモリ装置１５と移動式ネットワーク接続モジュール１７とにそれぞれ電気接続する全地球測位モジュール１０１をさらに有する。いずれかの制御ボタン１６を押下することによって、全地球測位データが形成される。かかる全地球測位データは移動式ネットワーク接続モジュール１７を介して非常時遠隔通報データセンター及び／または平時遠隔通報データセンターに伝送することによって、事故発生の場所を特定し、処理係員が速やかに事故処理できる。
【００２５】
さらに、犯罪防止機能を持たせるため、本考案のリアルタイム移動式映像音声通報装置１は、電気回路基板１２に取り付けられ、車載電源２１が電気供給されないときに電源を供給するバックアップ電源１０２をさらに有する。また、電気回路基板１２に取り付けられ、バックアップ電源１０２に電気接続していて、異常振動を発生したときに撮影レンズ１３の起動と録画を開始し、デジタル画像データを移動式ネットワーク接続モジュールに介して、遠隔通報データセンター及び／または平時遠隔通報データセンターに伝送するべく、振動センサー１０３をさらに有する。
【００２６】
デジタル画像データをその場で見たいときに備えるため、本考案のケーシング１１表面には、メモリ装置１５に電気接続されており、表示装置１０５に電気接続してデジタル画像データを再生するための信号接続ポート１０４が設けられている。特に注意したいことは、信号接続ポート１０４の両側のケーシング１１表面にそれぞれ２つの取付穴１１３を設け、かつ表示装置１０５には当該２つの取付穴１１３に合わせて、２つの係合柱１０５１が設けられていることである。
【００２７】
引き続き図４に示す本考案の好ましい実施例のフロー図を参照する。図と以下のシーンとを合わせて、実施の一例を説明する。シーン１：非常（救援要求を必要とする）時に、使用者が赤色の制御ボタン１６を２回押下して、リアルタイム移動式映像音声通報装置１によって、全地球測位データと、事故発生１分前後のデジタル画像データを自動で伝送すると共に、タイムデータをデジタル画像データに埋め込んで移動式ネットワーク接続モジュール１７を介して、非常時遠隔通報データセンター及び／または平時遠隔通報データセンターに伝送する。救援係員は遠隔地からオンライン接続によりリアルタイム画面を確認できる。シーン２：緊急でない通報をするときは、使用者が青色の制御ボタンを２回押下して通報を確認すると、リアルタイム移動式映像音声通報装置１によって、全地球測位データと、事故発生１分前後のデジタル画像データを自動で伝送すると共に、移動式ネットワーク接続モジュール１７を介して遠隔地の格納システム（ＤＲＯＰＢＯＸ、ＧＯＯＧＬＥ  ＤＲＩＶＥまたはｉＣＬＯＵＤなど）に自動伝送させる。シーン３：車載電源２１に電源を供給されない場面に備えて、本考案のリアルタイム移動式映像音声通報装置１は内蔵のバックアップ電源１０２を利用し、振動センサー１０３によって起動すると共に、撮影を起動させ、撮影したデジタル画像データを遠隔格納システム、またはＳＭＳなどの方式によって、設定された携帯電話番号へ自動伝送される。そのうち、デジタル画像データは装置起動した後１分間の画面を３回、合計３分間の映像画面を含む。シーン４：車両２の走行中（車載電源２１使用のとき）に大きい衝撃を受けたときは、本考案のリアルタイム移動式映像音声通報装置１が振動センサー１０３によって触発され、ただちに撮影したデジタル画像データが移動式ネットワーク接続モジュール１７を介して、全地球測位データと、デジタル画像データを非常時遠隔通報データセンターに自動伝送して、通報及び救援を要求することができる。
【符号の説明】
【００２８】
１  リアルタイム移動式映像音声通報装置
１１  ケーシング
１１１  スロット
１１２  通し穴
１１３  取付穴
１２  電気回路基板
１３  撮影レンズ
１３１  ＬＥＤ光度補足ランプ
１４  中央処理装置
１５  メモリ装置
１６  制御ボタン
１７  移動式ネットワーク接続モジュール
１８  全地球タイム同期モジュール
１９  マイク
１０１  全地球測位モジュール
１０２  バックアップ電源
１０３  振動センサー
１０４  信号接続ポート
１０５  表示装置
１０５１  係合柱
２  車両
２１  車載電源
２２  取付ラック
【図１】
0003198939.tif 000003
【図２】
0003198939.tif 000004
【図３】
0003198939.tif 000005
【図４】
0003198939.tif 000006